(57)【要約】      （修正有）【課題】個人が所有するレコードや書籍をデジタル化する所謂“自炊”について、所有者本人以外の第三者が代行することを可能にする。【解決手段】自炊代行業者３が使用者１から預かった著作物２をデジタルコンテンツ（４乃至６）に変換し、当該使用者の要求に応じてインターネットを介して当該デジタルコンテンツをストリーミング配信するデータサーバ８に保存する。読み込み済みとなった著作物２は、所有者やロケーション番号等の属性情報を管理するコンピュータ７に登録され、自炊代行業者の倉庫ラックに保管される。当該デジタルコンテンツにアクセスできるのは、ＷＥＢサーバ９によりアカウント認証された当該使用者のみに限られ、また同一人のアカウントによる同時アクセスができないようにも制御される。また、ストリーミング配信されるデジタルコンテンツは暗号化されていて使用者の携帯情報端末１１には複製できないようにする。【選択図】図１
2013171380.tif 000002
【特許請求の範囲】
【請求項１】
著作物の所有者に代わって複製したコンテンツをインターネット経由で提供するシステムにおいて、当該著作物の所有者情報を管理する手段と、著作物をインターネットで提供するデジタルデータに変換する手段と、当該デジタルデータをインターネットを介して当該所有者だけに提供する手段を備えたことを特徴とする自炊代行システム。
【請求項２】
請求項１に記載の著作物の所有者情報を管理する手段が、所有者属性と当該著作情報と預け入れ日や返却日等の預託履歴情報を関連付けて登録する入力部と、入力された当該情報を記録する記憶部と、当該情報に基づいてコンテンツの提供が有効か無効かを判断する管理部と、提供が無効な場合は当該コンテンツの使用を禁じる制御部からなる、請求項１に記載の自炊代行システム。
【請求項３】
請求項１に記載の著作物をインターネットで提供するデジタルデータに変換する手段が、著作物の情報を電子データ形式の情報に置き換える読み取り部と、読み取った情報をインターネットで配信可能なデジタルデータに変換する編集部と、当該デジタルデータを記録する記憶部からなる、請求項１または請求項２に記載の自炊代行システム。
【請求項４】
請求項１に記載のデジタルデータをインターネットを介して当該所有者だけに提供する手段が、所有者を判断する認証部と、当該所有者に使用許諾されているコンテンツを検索する検索部と、当該コンテンツを表示して当該所有者に選択させる表示部と、当該コンテンツのデジタルデータが記録されている記憶部と、当該閲覧システムで選択されたコンテンツのデジタルデータを当該所有者の情報端末にインターネット経由で送信するデータ送信部からなる、請求項１乃至請求項３のいずれかに記載の自炊代行システム。
【請求項５】
著作物の所有者のＷＥＢサーバへのアクセス状況を監視する手段と、当該所有者がアクセスしている場合は同一人のアクセスを排除する手段を備えたことを特徴とする、請求項１乃至請求項４のいずれかに記載の自炊代行システム。
【請求項６】
請求項５に記載のアクセスの監視手段と排除手段が、著作物の所有者のＷＥＢサーバへのログイン時間とログオフ時間を記録する記憶部と、所有者からログイン要請があった場合に当該記憶部を検査して当該所有者がログイン中であるかないかを判断する検査部と、ログイン中であれば重複して当該所有者がログインできないようにする制御部からなる、請求項５に記載の自炊代行システム。
【請求項７】
請求項１に記載のデジタルデータが、該デジタルデータを再生する情報端末で複製することができないような防御手段を備えたことを特徴とする請求項１乃至請求項６のいずれかに記載の自炊代行システム。
【請求項８】
請求項７に記載の防御手段が、デジタルデータを暗号化する暗号化部と、暗号化されたデジタルデータを復号化するためのキー情報を生成する発行部と、暗号化されたデジタルデータとキー情報を送信する送信部と、キー情報を使って暗号化されたデジタルデータを復号化する再生部からなる、請求項７に記載の自炊代行システム。
【発明の詳細な説明】
【技術分野】
【０００１】
本発明は、個人が所有する著作物を、インターネットを介して携帯情報端末等で利用できるようにする仕組みにおいて、当該著作物の著作権を担保するシステムに関する
【背景技術】
【０００２】
昨今のユビキタス社会では、情報通信インフラやコンピュータテクノロジーが高度に発達したことにより、人々は携帯情報端末等を用いて様々な情報コンテンツを享受できるようになっている。
【０００３】
例えば、自分の興味のある楽曲や映像をＹｏｕＴｕｂｅで視聴したり、ｉ−ｔｕｎｅｓやｍｏｒａなどの音楽配信サイトで好みの音楽をダウンロードするなどして楽しむことが日常的に行われている。また、書籍や雑誌などのコンテンツについても電子書籍販売サイトなどで入手して、利用者は情報端末で読むことができるようになっている。
【０００４】
これらのコンテンツを情報端末で利用するには、インターネット上のサーバに格納された画像や楽曲などのコンテンツをパソコンに保存（複製）するダウンロードと、それらのコンテンツをパソコンに保存せずに随時再生するストリーミングとがある。
【０００５】
またその一方で、自分が所有するレコードをデジタルデータに変換してパソコンやミュージックプレーヤーに取り込んだり、あるいは書籍などをスキャナで読み取って画像データなどに変換する、所謂“自炊”で携帯情報端末等に取り込むことも行われている。
【０００６】
このように利用者が情報コンテンツを自分のライフスタイルに合わせて自由にかつ簡単に楽しむ環境が整備されてきているが、その一方で著作権の問題が起こっている。すなわちデジタル化されたコンテンツは複製しても品質が劣化しないことから無制限な複製が可能となり、またネットワークを通じて不特定多数に配信されることから、違法な“バラマキ”を誘発する蓋然性が極めて高くなる。日本音楽著作権協会（ＪＡＳＲＡＣ）は米アップル社が運営するｉ−ｔｕｎｅｓには楽曲の提供に難色を示しており、２０１１年から同社が新たに始めたｉ−Ｃｌｏｕｄサービス（利用者が購入した楽曲をクラウドサービスを通じてパソコンや情報端末などで視聴ができる）に対しても著作権侵害の懸念から合意には至っていない。アップル社のｉ−ｔｕｎｅｓに限らず、実際のところ日本においてはＣＤによる流通が確立されており、利権がらみもあって邦楽についてはコンテンツが不十分で、利用者にとってはあまり魅力のないものとなっている。同様に書籍などについても、紙媒体で供給する業界の構造を維持しなければならないという供給側の思惑もあって、日本の電子書籍のタイトルは極少数に過ぎないのが現状である。
【０００７】
つまり、技術環境は整っているのに、供給側の都合で携帯情報端末で視聴する楽曲や電子書籍が不足している状態になっている。
【０００８】
このような状況の中、利用者は自分で楽曲や書籍などのコンテンツをデジタル化して持ち歩く、所謂“自炊”をし始めた。これは、自分が所有する著作物を私的使用の範囲で複製することが認められているからである。しかし、個人が自炊をするには、それなりの道具や技術が必要となる。例えば、レコードであればレコードプレーヤやＡ／Ｄコンバータそして編集ソフトなどであり、それらを使いこなして一定レベルの音質を確保するにはデータ処理の知識も必要となる。実際のところ、レコードは持っていてもレコードプレーヤやアンプなどが壊れていたり処分してしまって、聞こうにも聞けない状態の人が多く存在する。書籍を自炊する場合においては、本の背表紙を切り落とす断裁機やスキャナや編集ソフトなどが必要であるが、そこまで装備しているユーザは少ない。
【０００９】
これらの道具や知識がない利用者は自炊代行業者に依頼するという方法があるが、これについては作家や出版社が、代行業者による電子化は使用する本人の複製ではないから「違法」であるとして２０１１年１２月に「自炊」の代行業者２社を相手取りスキャン行為の差し止めを求める訴訟を東京地裁に起こしている。音楽分野では、ＣＤの自炊代行についてライブドアがそれをやろうとしたが、前述の自炊代行と同様に日本レコード協会から「それは著作権法に違反する」とクレームがついて同サービスを中止している。
【００１０】
つまり自炊代行サービスは、著作物の私的使用に止まらず、違法コピーや違法送信を増大させるリスクがあるから、著作権法の間接侵害にあたるというのである。しかしこれは、法に照らして適正に著作物を複製する使用者側の権利を必要以上に拘束するという問題も抱えている。
【００１１】
尚、自炊代行に関わるものではないが、著作者の許諾を得ないデジタルコンテンツの違法な使用や複製などを防御する技術が昨今では注目を集めている。例えば、著作物を暗号化して記録し使用する際に複号化する技術（たとえば特許文献１参照）や、ソフトウェアを使用する際にサーバに対してライセンス認証を行うチェックプログラムを具備したもの（たとえば特許文献２参照）や、複製すると画質が劣化する技術（たとえば特許文献３参照）などがある。
【００１２】
しかしこのような技術は、著作物を譲渡する前に認証のためのキーコードやチェックプログラムをデジタルデータとして書き込んでおく必要があるので、既に販売されたレコードや書籍には適用できない。しかも、これらの技術は、あくまでもデジタルコンテンツとして提供される著作物を想定しており、レコードや書籍などのようなアナログ媒体には実施することができない。
【先行技術文献】
【特許文献】
【００１３】
【特許文献１】特開２００５−２０７０３号  公報
【特許文献２】特開平８−１２９４８６号  公報
【特許文献３】特開２０１０−１４８１２７号  公報
【発明の概要】
【発明が解決しようとする課題】
【００１４】
著作権法は、著作物の複製物の違法な流布を禁じることで当該著作者の経済的利益を保護することを目的としている。したがって、自炊代行サービスおよびそれを利用する使用者において、著作権者の著作財産権を担保する仕組みが確立できれば、著作物の保護とその利用を促進することが可能となり、ひいては我が国の文化の発展に寄与するという立法趣旨にも合致するのである。
【００１５】
本発明は、個人が所有するレコードや書籍などの著作物について、当該著作物の著作権者が有する複製権（著作権法２１条）や公衆送信権（著作権法２３条）を侵害せずに、自炊代行とその利用が行える技術に関するものである。
【００１６】
上記課題を解決するための要件は次の３点である。
所有の要件：使用者が著作物の所有者であることを担保すること
排他的使用の要件：使用者のみが複製したコンテンツを視聴できるようにすること
複製不可の要件：情報端末等でコンテンツが複製できないようにすること
【課題を解決するための手段】
【００１７】
上記課題を解決するビジネスモデルの一形態は以下のようである。
【００１８】
（１）自炊代行業者が使用者の所有する著作物を預かり、それをインターネット経由で提供するデータ形式（以下、デジタルコンテンツという）に変換する
（２）デジタルコンテンツの提供期間において、自炊代行業者は当該著作物を適切に保管しかつその所有者情報を管理する
（３）自炊代行業者は、デジタルコンテンツをＷＥＢサーバにアップロードし、インターネット経由で、当該デジタルコンテンツの使用を許諾されている使用者（以下、コンテンツユーザという）に提供する
（４）デジタルコンテンツがコンテンツユーザ以外の者に視聴できないように制御する仕組みを設ける
（５）さらに、承認されたコンテンツユーザであっても同時にデジタルコンテンツを使用できないように制御する仕組みを設ける
（６）コンテンツユーザであっても、携帯情報端末にデジタルコンテンツを保存できないように暗号化して提供する手段を講じる
【００１９】
上記の（１）乃至（２）が「所有の要件」を充足するものであり、（３）乃至（５）が「排他的使用の要件」を充足するもの、そして（６）が「複製不可の要件」の要件を満たすものである。
【発明の効果】
【００２０】
著作物の使用者は、自分が所有するレコードや書籍などデジタル化して、いつでもどこでも携帯情報端末などを用いて自由に視聴することができ、また場所をとるレコードや書籍を片付けることができる。
【００２１】
著作権者は、自身の著作財産権が担保されるとともに、著作物の使用者に対して不必要な拘束をかけることもなく十分に著作を視聴してもらうことができる。
【００２２】
自炊代行業者は、著作権侵害に問われることなく、合法的に自炊代行事業を実施することができる。
【図面の簡単な説明】
【００２３】
【図１】自炊代行ビジネス（著作がレコードの場合）の模式図
【図２】著作物の所有者情報を管理するシステム図
【図３】デジタルコンテンツを配信するシステム図
【図４】デジタルコンテンツを暗号化・複号化するシステム図
【図５】ＷＥＢサーバ（９）におけるユーザ認証のフロー図
【図６】自炊代行ビジネス（著作が書籍の場合）の模式図
【発明を実施するための形態】
【００２４】
以下、本発明の実施例１として、レコードを自炊代行するケースで説明する。
【００２５】
図１は本件発明を用いた自炊代行のビジネスモデルを模式的に表したものである。
【００２６】
まずコンテンツユーザ（１）が、自分が所有するレコード盤（２）を自炊代行業者（３）に預け入れる。
【００２７】
自炊代行業者（３）はレコードプレーヤ（４）でアナログ信号を抽出し、Ａ／Ｄコンバータ（５）を介してデジタルデータに変換し、それを一時的に保存するストレージサーバ（６）に取り込む。
【００２８】
アナログ信号を読み込む際に留意する点は、１秒間にサンプリングする回数（サンプリング周波数）と１サンプリングの音量レベルの階調（量子化ビット数）をどのくらいに設定するかということである。一般の音楽ＣＤはサンプリング周波数が４４．１キロヘルツで量子化ビット数は１６ビットとなっており、少なくともその程度の精度で読み込むことが望ましい。当方の実験では、９６キロヘルツ／２４ビットで読み込むとレコードを再生した時と同等レベルの音質を得ることができた。
【００２９】
そして、アナログ信号から変換されたデジタルデータは、ストレージサーバ（６）において後述するようなデータ処理がなされ、ネットワーク上のコンテンツデータサーバ（８）に格納される。
【００３０】
レコードのアナログ信号からデジタルデータを生成した場合に留意する点は、ノイズ処理と曲分割とデータ圧縮の３点である。ノイズとはプチップチッという所謂クラックルノイズであるが、これを除去することで非常に聞き易いサウンドが得られる。また、レコードには複数の曲が収録されているので、そのまま記録するとそれらが１つのデータファイルとして認識されてしまう。そこで、レコードから読み込んだファイルを、曲単位に分割してファイル保存する必要がある。また、９６キロヘルツ／２４ビットなどのように高精度で読み込んだ場合は、インターネット回線の通信速度を考慮して、ＷＭＡやＭＰＥＧ３などのような圧縮データ形式に変換しておくことが望ましい。
【００３１】
さらに、後述する複製防止のために、デジタルデータがストレージサーバ（６）にある段階で、ＤＲＭ方式による暗号化の処理を行っておく。ストリーミング配信時に暗号化する方法もあるが、その場合はＤＲＭサーバ（１７）で適宜暗号化する。
【００３２】
読み込みが終了したレコード盤（２）は、所有者やロケーション番号等の属性情報を管理するコンピュータ（７）に登録され、自炊代行業者の倉庫ラックに適切に保管される。
【００３３】
コンテンツユーザ（１）は、自己の携帯情報端末（１１）でインターネット（１０）を介してコンテンツを管理するＷＥＢサーバ（９）にアクセスし、自己の視聴可能なコンテンツのリスト画面を閲覧し、所望のコンテンツを選択して視聴する。
【００３４】
本件発明が解決しようとする技術的課題は、コンテンツユーザが著作物の所有者であることを担保すること（所有の要件）と、コンテンツユーザだけにそのデジタルコンテンツを提供すること（排他的使用の要件）と、さらにはそのデジタルコンテンツもコンテンツユーザの携帯情報端末に複製できないようにすること（複製不可の要件）である。
【００３５】
そこで、まず一番目の所有の要件を充足するための技術構成について、図２を用いて説明する。
【００３６】
コンテンツユーザ（１）の属性情報とレコード盤（２）の属性情報がコンピュータ（７）に設けられたデータベース（１２）に登録され、外部に公開するＷＥＢサーバ（９）内のコンテンツ管理情報と同期がとられるようになっている。
【００３７】
該データベース（１２）に登録される情報は、所有者ＩＤ、氏名、住所、電話番号、メールアドレスなどの所有者属性の他に、レコード（著作）タイトルや著作者といったコンテンツ属性などである。また、著作物を預かった日付や返却した日付、さらには保管した場所のロケーション番号や、コンテンツの提供サービスが有効か無効かを判断するステータス情報なども該データベースで一元的に管理されている。
【００３８】
また、レコード盤（２）を保管する際には、レコード盤（２）の側にも該属性情報をバーコード化するなどして付しておくことが望ましい。
【００３９】
該データベース（１２）と同期されているＷＥＢサーバ（９）内のコンテンツ管理情報に基づき、ＷＥＢサーバ（９）がコンテンツユーザの認証とコンテンツの有効・無効を判断する仕組みについて、図５のフローチャートを参照して説明する。
【００４０】
まずコンテンツユーザがＩＤとパスワードを入力すると（図５ａ）、ＷＥＢサーバ（９）はコンテンツ管理情報を検索し（図５ｂ）、有効な会員か否かを判断する（図５ｃ）。
【００４１】
有効な会員であってかつ有効なアクセスであることが承認された場合は（図５ｈ）、ＷＥＢサーバ（９）はコンテンツ管理情報のステータスを検索し（図５ｉ）、有効なコンテンツのみをリスト画面に表示する（図５ｊ乃至ｋ）。無効なコンテンツはリスト画面に表示されないので、コンテンツユーザは該コンテンツを使用することができない。
【００４２】
次に、二番目の排他的使用の要件を充足するための技術構成について、図３と図５を用いて説明する。
【００４３】
コンテンツユーザが携帯情報端末（１１）でＷＥＢサーバ（９）にアクセスすると、ログイン画面（１３）が表示され、ＩＤとパスワードでユーザ認証を行う。
【００４４】
認証された場合は、ＷＥＢサーバ（９）より該コンテンツユーザ固有のライブラリ画面へと誘導するＵＲＬ情報が記載された電子メール（１４）を、既に登録されているメールアドレスに自動送信する（図５ｆ）。尚、該ＵＲＬは適宜ＷＥＢサーバで自動生成するなどして固定化しないようにして、さらに該電子メールを送信してから一定時間の後にアクセスがない場合は無効となるように有効期限を設けて（図５ｇ乃至ｈ）、なりすましへの対策を講じる。
【００４５】
コンテンツユーザは電子メールに記載された該ＵＲＬをクリックすると、自分専用のコンテンツを表示するリスト画面（１５）を閲覧することができる。そこで任意のコンテンツを選択すると、コンテンツデータサーバ（８）が、デジタルコンテンツ（１６）をコンテンツユーザの携帯情報端末（１１）にストリーミング送信し、該ユーザは携帯情報端末の再生ソフトを使って視聴することができる。
【００４６】
また同一のアカウント（ＩＤとパスワード）を用いて同時にアクセスされることを防ぐために、ここではＷＥＢサーバ（９）がユーザのログイン状況を監視して、既にログインされているアカウントで認証の要求があった場合は重複してログインできないように制御する。
【００４７】
前述した同時アクセスを禁止する仕組みについて、図５のフローチャートを参照して説明する。図５ｃで有効な会員であることが承認されたら、次にアクセスログを検索し（図５ｄ）、もし同一のＩＤがログイン中であれば（図５ｅ）、その旨を通告しサービスを終了する。説明が前後するが、ログイン時間の記録については、有効な会員であること、重複したログインでないこと、コンテンツ使用のステータスが有効であることが全て確認された段階（図５ｋ）で、アクセスログに書き込まれる（図５ｍ）。ログオフ時間については、コンテンツユーザがログオフするか、もしくは一定時間ＷＥＢサーバ（９）へのアクセスがない場合に自動的にセッションを切断し、その時刻がアクセスログに記録される。
【００４８】
これにより同一ＩＤで同時にコンテンツを使用することができなくなるので、仮にコンテンツユーザが多くの第三者に当該ユーザのＩＤとパスワードを公開しても使用者が限定される。
【００４９】
次に、三番目の複製不可の要件を充足するための技術構成について、ＤＲＭ（Ｄｉｇｉｔａｌ  Ｒｉｇｈｔｓ  Ｍａｎａｇｅｍｅｎｔ）と呼ばれる暗号化・複号化の技術を用いた実施例を図４を使って説明する。
【００５０】
コンテンツユーザが任意のコンテンツを選択（１５）すると、ＷＥＢサーバ（９）がＤＲＭサーバ（１７）に対して複号化に用いるライセンスキーの生成を要求し、要求を受けたＤＲＭサーバは携帯情報端末（１１）に対してライセンスキー（１８）の発行を行う。
【００５１】
該ライセンスキーにはキーの有効期限などの情報が付されていて、一定時間を経過すると無効となり復号化ができなくなる。
【００５２】
このライセンスキー発行と連動してコンテンツデータサーバ（８）から、ＤＲＭ方式で暗号化されたデジタルコンテンツ（１６）が携帯情報端末（１１）にストリーミング配信され、該ライセンスキー（１８）により複号化することでコンテンツユーザは該コンテンツを再生することができる。
【００５３】
ストリーミング配信されたデジタルコンテンツは、暗号化されているのでそれをコンテンツユーザが携帯情報端末（１１）に保存しても適切に再生することができない。また、ライセンスキーとともに保存したとしても、該ライセンスキーは有効期限が設定されているので、一定時間経過後は復号化できない仕組みになっている。
【００５４】
上記の例ではライセンスキーの制約情報として有効期限を用いたが、情報端末の固有情報やコンテンツユーザの固有情報などに置き換えることも可能である。
【００５５】
以下、本発明の実施例２として、書籍を自炊代行するケースで説明する。
【００５６】
図６は本件発明を用いた自炊代行のビジネスモデルを模式的に表したものである。
【００５７】
まずコンテンツユーザ（１）が、自分が所有する書籍（１９）を自炊代行業者（３）に預け入れる。
【００５８】
自炊代行業者（３）は、預かった書籍（１９）をスキャナで読み込むために、その背表紙を断裁してページごとに分割する（２０）。その後で、バラバラに分割されたページを一枚ずつスキャナ（２０）でスキャニングする。スキャニングされた書籍データは、デジタルデータとしてそれを一時的に保存するストレージサーバ（６）に記憶される。
【００５９】
そして、該デジタルデータはインターネットで提供されるようにストレージサーバ（６）においてＰＤＦ形式等のファイルに変換されて、ネットワーク上のコンテンツデータサーバ（８）に格納される。
【００６０】
読み込みが終了した書籍（１９）は、所有者やロケーション番号等の属性情報を管理するコンピュータ（７）のデータベース（１２）に登録され、断裁されてバラバラになったページ（２０）は自炊代行業者の倉庫ラックに適切に保管されるかもしくはコンテンツユーザの了承を得た上で廃棄処分される。    
【００６１】
コンテンツユーザ（１）は、自己の携帯情報端末（１１）でインターネット（１０）を介してコンテンツを管理するＷＥＢサーバ（９）にアクセスし、自分のコンテンツのリスト画面を閲覧し（図３の１５）、所望のコンテンツを選択して読むことができる。
【００６２】
書籍の著作権を保護する仕組みについては、実施例１に記載したレコードの自炊代行の場合と同様であるので、以降の説明は省略する。
【００６３】
以上は、レコードと書籍の自炊代行を例にとって説明したが、映画ビデオ、写真、音楽ＣＤなどその他の著作物についても同様に実施することができる。その他、本件発明は当業者の知識に基づいて種々の変形、改良等を施した態様で実施し得ることは勿論である。
【符号の説明】
【００６４】
１  著作物を所有するコンテンツユーザ
２  コンテンツユーザが所有するレコード盤(著作物)
３  コンテンツユーザから依頼を受けて自炊を代行する自炊代行業者
４  レコード盤から情報を読み取るレコードプレーヤ
５  アナログデータをデジタルデータに変換するＡ／Ｄコンバータ
６  読み取ったデジタルデータを一時的に保存してデータ処理をするストレージサーバ
７  所有者や著作物等の属性情報を管理するコンピュータ
８  デジタルコンテンツを配信するデータサーバ
９  デジタルコンテンツの視聴を管理するＷＥＢサーバ
１０  インターネット網
１１  デジタルコンテンツを再生する携帯情報端末
１２  著作物やその所有者などの属性情報を一元管理するデータベース
１３  ユーザ認証画面
１４  アクセスする先のＵＲＬが付された電子メール
１５  コンテンツユーザ固有のライブラリ閲覧画面
１６  配信されるデジタルコンテンツ
１７  ライセンスキーを発行するＤＲＭサーバ
１８  暗号化されたデジタルコンテンツを複合化するライセンスキー
１９  コンテンツユーザが所有する書籍（著作物）
２０  断裁されバラバラになった書籍のページ
２１  書籍を読み込むスキャナ
【図１】
2013171380.tif 000003
【図２】
2013171380.tif 000004
【図３】
2013171380.tif 000005
【図４】
2013171380.tif 000006
【図５】
2013171380.tif 000007
【図６】
2013171380.tif 000008